(57)【特許請求の範囲】
【請求項１】
散水器本体と、その前面に螺合連結されるノズルヘッドと、このノズルヘッドのさらに前面に回転自在に取り付けられる回転ガイドと、この回転ガイドの内部に形成され、ノズルヘッドに対する回転ガイドの回転位相に従って異なる散水パターンを任意に設定可能とする散水パターン制御機構と、散水器本体の取付け部に回動可能に取り付けられる流量調整ハンドルと、このハンドルの回動位置の保持手段と、この保持手段を解除するロック解除レバーとを有し、散水器本体とノズルヘッドのそれぞれに、これらの螺合連結部の所定位相位置に互いに係合する係合部を設けたことを特徴とする散水器。
【請求項２】
前記係合部をノズルヘッドの下面の位置と、散水器本体の裏面の位置に設けた請求項１に記載の散水器。
【請求項３】
ノズルヘッド側の前記係合部を合成樹脂からなる柱状の係止小片とし、散水器本体側の係合部をこの係止小片を嵌入する凹部とする請求項１または２に記載の散水器。
【請求項４】
前記係止小片がノズルヘッドの回転方向の逆から見て散水器本体の凹部と対する面をゆるやかな斜面にするような平面形状を有する請求項３に記載の散水器。
【発明の詳細な説明】
【０００１】
【発明の属する技術分野】
この発明は、散水器の正確な組付け作業の簡略化、および、安定性の向上を達成する構成に関するものである。
【０００２】
【従来の技術】
散水器として、ノズルヘッドに回動自在に取り付けられた回転ガイドを回動させることによって、例えばジェット、ミスト、フラット、シャワー等の異なる散水パターンを任意に設定できるように構成されたものが公知である。
【０００３】
図８は、従来の散水器の構成を示す斜視図である。図８において、１１は散水器であり、この散水器は、散水器本体１２と、この散水器本体１２の前面に螺合によって連結されるノズルヘッド１３と、このノズルヘッド１３のさらに前面に回転自在に取り付けられて異なる散水パターンを任意に設定可能とする回転ガイド１４とを有している。そして、ノズルヘッド１３の回転ガイド１４側の端部には、三角形のマーク１５が設けられており、このマーク１５は回転ガイド１４の外周に設けられた幾つかの表示部１４ａのうちどれを指示しているかによって、回転ガイド１４の位相がどのような散水パターンをもたらすものとなっているかを使用者に明示している。
【０００４】
【発明が解決しようとする課題】
しかしながら、上記構成の散水器１１を構成する各部材は各々合成樹脂によって形成されているので、その成形段階において若干の誤差が生じることはやむを得ないことである。また、ノズルヘッド１３を散水器本体１２に螺合するときに、締めつける力の強弱が生じるなど様々な原因によって前記マーク１５の位置が定まらなくなる。例えば、ある場合締めつけすぎてマーク１５が矢印ａのように移動した状態で固定されてしまうことがある。この場合、マーク１５が散水器１２の中心位置１２ａからずれることになり、見栄えが悪くなるだけでなく、マーク１５による指示が不明瞭となり利用者の使い勝手も悪くなる。
【０００５】
この発明は、上記の問題点を考慮してなされたものであって、その目的とするところは、散水器の正確な組付けが容易に行えると共に、組付けられた散水器の安定性を増すことにより、散水し易く、かつ、使い勝手の良い散水器を提供することにある。
【０００６】
【課題を解決するための手段】
上述の目的を達成するため、本発明は、散水器本体と、その前面に螺合連結されるノズルヘッドと、このノズルヘッドのさらに前面に回転自在に取り付けられる回転ガイドと、この回転ガイドの内部に形成され、ノズルヘッドに対する回転ガイドの回転位相に従って異なる散水パターンを任意に設定可能とする散水パターン制御機構と、散水器本体の取付け部に回動可能に取り付けられる流量調整ハンドルと、このハンドルの回動位置の保持手段と、この保持手段を解除するロック解除レバーとを有し、散水器本体とノズルヘッドのそれぞれに、これらの螺合連結部の所定位相位置に互いに係合する係合部を設けている。
【０００７】
すなわち、本発明の散水器によれば、散水器本体とノズルヘッドとの螺合位相を極めて容易かつ正確に確定できるので、散水器の組付作業が簡単になると当時に、見栄えや使い勝手が良くなる。また、組付けられた散水器が容易に外れることがないので、その安定性が増す。
【０００８】
加えて、前記係合部をノズルヘッドの下面の位置と、散水器本体の裏面の位置に設けることにより、この係合部が目立たない。
【０００９】
また、ノズルヘッド側の前記係合部を合成樹脂からなる柱状の係止小片とし、散水器本体側の係合部をこの係止小片を嵌入する凹部としてもよく、さらに、この係止小片がノズルヘッドの回転方向の逆から見て散水器本体の凹部と対する面をゆるやかな斜面にするような平面形状としてもよい。このように構成することにより、係止小片と凹部による係合に方向性を付与することができ、散水器本体に対するノズルヘッドの締付時に正確な位置決めができると共に、この係合を解除することも可能となる。
【００１０】
【発明の実施の形態】
以下、この発明の実施の一形態を説明する。
図１，２において、１は散水器であり、この散水器１は散水器本体２と、この散水器本体２の前面に螺合連結されるノズルヘッド３と、このノズルヘッド３のさらに前面に回転自在に取り付けられて異なる散水パターンを任意に設定可能とする回転ガイド４と、散水器による散水量の調整に用いられる流量調整機構５とからなっている。
【００１１】
散水器本体２は合成樹脂からなり、湾曲したほぼ円筒状の胴部２ａの上流側の端部にはホース接続部２ｂを形成すると共に、下流側の端部には流量調整弁２ｃを設けている。また、この下流側端部の内周面には前記ノズルヘッド３を螺合連結するための雌ねじ部２ｄを形成し、胴部２ａの下面には平行する一対の板状の前記流量調整機構５の取付け部２ｅを形成している。
【００１２】
ノズルヘッド３は合成樹脂をほぼ半球形状に形成したノズルヘッド本体３ａの一端側に散水器本体２との連通口３ｂを形成し、この連通口３ｂの外周部に雄ねじ部３ｃを形成している。したがって、この雄ねじ部３ｃを前記散水器本体２の前面に形成された雌ねじ部２ｄに螺合することにより、ノズルヘッド３を散水器本体２に連通連結できる。また、この連通口３ｂには、前記流量調整弁２ｃが着座する弁座３ｄを設けている。
【００１３】
前記ノズルヘッド３のさらに前面には回転ガイド４が形成されており、この回転ガイド４の内部には、ノズルヘッドに対する回転ガイド４の回動によって、その回転の位相に従って、例えばジェット、ミスト、フラット、シャワー等の異なる散水パターンを任意に設定可能とする散水パターン制御機構４ａを形成しており、かつ、この回転ガイド４の前面側には、この回動操作を容易なものとすると共に散水器１が落下した際の衝撃防止となる合成ゴム製のカバー４ｂを取付けている。
【００１４】
なお、前記ノズルヘッド３の上面には回転ガイド４の回転位相を確認するために、例えば三角形のマーク３ｅを設けていると共に、このマーク３ｅに対応して回転ガイド４の外周面４ｃにジェット、ミスト、フラット、シャワー等の文字が表示されている。
【００１５】
前記散水器本体２の取付け部２ｅには軸芯５ａを中心に回動可能に取り付けられる流量調整ハンドル５ｂを設けると共に、支点５ｃを中心に回動自在に形成されて一端が前記ハンドル５ｂに他端が前記流量調整弁２ｃの操作部２ｆに係合する動力変換チップ５ｄを設けている。さらにハンドル５ｂにはその回動位置の保持手段５ｅと、この保持手段５ｅを解除するロック解除レバー５ｆを設けている。すなわち、これらが流量調整機構５である。
【００１６】
本発明の特徴的な構成は、前記ノズルヘッド３と散水器本体２との螺合連結部分にある。図３，４はそれぞれノズルヘッド３の縦断面図，および下から見た平面図であり、これらの図に示されているようにノズルヘッド３は、その下面側において前記合成樹脂からなる柱状の係止小片６を膨出させている。
【００１７】
この係止小片６は、前記雄ねじ部３ｃの近傍で、かつ本体３ａと散水器本体２ａとの接合面３ｆに並んで配置され、その平面形状が雄ねじ部３ｃの螺進方向に長い約長方形の柱状である。そして、この係止小片６の突出量ｄは例えば雄ねじ部３ｃのネジのピッチとほゞ同じ程度にしている。なお、前記散水器本体２には、この雄ねじ部３ｃに対応して、前記接合面３ｆに接合する散水器本体２の接合面２ｈには係止小片６を嵌合する凹部７（図１，２を参照）を形成している。
【００１８】
図５は、前記ノズルヘッド３を散水器本体２に螺合する過程を説明する斜視図であり、ノズルヘッド３をある程度締めつけたときから、係止突起６が散水器本体２の接合面２ｈに当接し、接合面２ｈに押されて変形するようになるので、ノズルヘッド３の締め付け操作が重くなる。そして、これに抗じてさらに力を加えてノズルヘッド３を締めつけることにより、やがて前記係止突起６は、拡大して示すように、凹部７に嵌まり込み、以後ノズルヘッド３は散水器本体２に対して弛緩何れの方向にも回動しなくなる。つまり、散水器本体２に対するノズルヘッド３の位相が所定の位置において固定される。
【００１９】
すなわち、前記接合面３ｆ上に形成される係止突起６の位相と、接合面２ｈ上に形成される凹部７の位相を正確に合わせることにより、散水器本体２に対するノズルヘッド３の固定位相を正確に定めることが可能となる。つまり、前記マーク３ｅの位置を散水器１の見栄えと使い勝手が良い位置に正確に合わせることができる。
【００２０】
また、組み立て作業者はノズルヘッド３を締めつけるだけの極めて簡単な操作によって、ノズルヘッド３の上面側に形成したマーク３ｅがずれることなく常に真上に来るようにノズルヘッド３を散水器本体２に固定でき、組付け時に作業者がマーク３ｅの位置に気を遣わずにすむ。そして、一端嵌合した係止小片６と凹部７は容易に外れないので、この係止小片６と凹部７が散水器本体２とノズルヘッド３との螺合連結の緩み止めにもなり、この接続の安定性を向上できる。
【００２１】
また、図５に示す例では、係止小片６と凹部７とが係止する位置において、前記接合面３ｆおよび２ｈの間に、少しの隙間ｅが生じているが、係止小片６と凹部７とが係止するときに、接合面３ｆおよび２ｈが当接するように前記雄ねじ部３ｃおよび雌ねじ部２ｄを形成することにより、この螺合の安定性をさらに向上させることもできる。なお、この場合には係止小片６の突出量ｄは雄ねじ部３ｃのネジのピッチより小さくした方がよい。
【００２２】
なお、上述した実施形態では係止小片６はその平面形状が長方形の柱状の爪であるが、本発明はこの係止小片６の形状を限定するものではない。
図６は上記係止小片６の変形例である係止小片６’にノズルヘッド３の回転方向の逆から見てゆるやかな斜面６ａを形成した例を示している。この図において、係止小片６’は平面視ほぼ台形状に形成された柱状の爪である。
【００２３】
すなわち、係止小片６’をノズルヘッド３の回転方向の逆から見て散水器本体の凹部７と対する面をゆるやかな斜面６ａにするような平面形状（他にも例えば三角柱などが考えられる）にしたことにより、係止小片６’はこれと凹部７とが嵌合した状態で、ノズルヘッド３を締めつける方向には回動止めとして機能すると共に、この螺合を解除する方向には、回動できるようにしている。このように構成することにより、ノズルヘッド３の回転方向の位置決めは勿論のこと、一度螺合したノズルヘッド３を再び分解することが可能となる。すなわち、散水器１のメンテナンスおよび部品交換を容易にすることができる。
【００２４】
図７は、前記係止突起６の変形例を示す平面図であり、この係止突起６では雄ねじ部３ｃの螺進方向における厚みを薄くしている。したがって、ノズルヘッド３を散水器本体２に螺合する際に、係止小片６と凹部７とが係合する直前に、ノズルヘッド３の回転に必要となる力が小さくてすむようになる。
【００２５】
なお、上述した各例では、散水器本体２とノズルヘッド３のそれぞれに設けられた係合部を係止小片６，６’と凹部７によって形成しているが、本発明はこれに限られるものではなく、たとえば、散水器本体２とノズルヘッド３の接合面２ｈ，３ｆに段部を形成するなど様々な構成を実施可能である。
【００２６】
また、上記各例では、散水器本体２、ノズルヘッド３、回転ガイド４および流量調整機構５の何れも合成樹脂によって形成されている場合を示しているが、本発明は各部材を構成する材質を限定するものではない。
【００２７】
【発明の効果】
以上説明したように、本発明によれば、散水器本体とノズルヘッドのそれぞれに、これらの螺合連結部の所定位相位置に互いに係合する係合部を設けているので、散水器本体とノズルヘッドとの螺合位相を極めて容易かつ正確に確定できるので、散水器の組付作業が簡単になると共に、見栄えがよく、使い勝手の良いものとすることができる。また、組付けられた散水器が容易に外れることがなくなり、その安定性が向上する。
【００２８】
また、ノズルヘッド側の前記係合部を合成樹脂からなる柱状の係止小片とし、散水器本体側の係合部をこの係止小片を嵌入する凹部としてもよく、さらに、この係止小片がノズルヘッドの回転方向の逆から見て散水器本体の凹部と対する面をゆるやかな斜面にするような平面形状としてもよい。このように構成することにより、係止小片と凹部による係合に方向性を付与することが可能となり、散水器本体に対するノズルヘッドの締付時に正確な位置決めができるだけでなく、必要が生じた場合にはノズルヘッドを散水器本体から取り外すこともできる。
【図面の簡単な説明】
【図１】この発明の一実施形態を下から見た全体構成図である。
【図２】上記実施形態の縦断面図である。
【図３】上記実施形態のノズルヘッドの構成を拡大して示す縦断面図である。
【図４】同ノズルヘッドを下から見た平面図である。
【図５】同ノズルヘッドを螺合する時の状態を示す一部拡大した斜視図である。
【図６】本発明の別の実施形態を示す一部を拡大平面図である。
【図７】本発明の変形例を示す一部を拡大平面図である。
【図８】従来例を示す全体斜視図である。
【符号の説明】
１…散水器、２…散水器本体、３…ノズルヘッド、６，６’…係止小片（係合部）、６ａ…斜面、７…凹部（係合部）。
【図１】
0003561759.tif 000002
【図２】
0003561759.tif 000003
【図３】
0003561759.tif 000004
【図４】
0003561759.tif 000005
【図５】
0003561759.tif 000006
【図６】
0003561759.tif 000007
【図７】
0003561759.tif 000008
【図８】
0003561759.tif 000009